(57)【要約】【課題】ロースタ排気口からの排気で、背面壁が露つきや汚れるのを低減するとともに、排気を換気扇が効率よく吸引できるようにすること。【解決手段】ロースタ１５からの排気をトッププレート１１上の調理加熱部４２の方向で上方向にロースタ排気口２８から排出することで、背面壁への露つきや汚れを低減し、排気を換気扇へ効率よく吸引する。【選択図】  図１
2004235124.tif 000002
【特許請求の範囲】
【請求項１】
本体と、前記本体の上部に設けたトッププレートと、前記トッププレートの下方に設けた被調理物を加熱調理する加熱手段および被調理物を焼成するロースタと、前記トッププレート後方で、かつ、前記ロースタ後方に配した排気煙突の上部に設けたロースタ排気口とを備え、前記ロースタ排気口からの排気を前記トッププレート上の前記加熱手段に対応する位置に設けた調理加熱部の方向で上方向に排出する構成とした誘導加熱調理器。
【請求項２】
トッププレート後方の一方に吸気口を、他方に排気口を備え、前記吸気口の前記トッププレート上の調理加熱部がある側とは反対側から取入れた外気を、前記トッププレート上の前記調理加熱部の方向で上方向に前記排気口より排出する構成とした請求項１記載の誘導加熱調理器。
【請求項３】
トッププレート後方に吸気口と排気口およびロースタ排気口とを設け、前記排気口と前記ロースタ排気口とを前記トッププレート上の調理加熱部の方向で上方向に開口し、吸気口を前記トッププレート上の前記調理加熱部と反対側に開口する構成とした請求項２記載の誘導加熱調理器。
【請求項４】
吸気口と排気口およびロースタ排気口の向きを、着脱自在なバックグリルで構成した請求項１〜３のいずれか１項に記載の誘導加熱調理器。
【請求項５】
バックグリルにフィルターを設ける構成とした請求項４記載の誘導加熱調理器。
【請求項６】
吸気口と排気口およびロースタ排気口に、内部部品の温度上昇を検知して、開閉量を可変する風向板を設ける構成とした請求項１または請求項２記載の誘導加熱調理器。
【請求項７】
吸気口と排気口およびロースタ排気口に開閉量自在の風向板を設け、被調理物の加熱の強弱に応じて、開閉量を可変する構成とした請求項１または請求項２記載の誘導加熱調理器。
【発明の詳細な説明】
【０００１】
【発明の属する技術分野】
本発明は、一般家庭で用いられる誘導加熱調理器に関し、特に、ロースタ排気口の構成に関する。
【０００２】
【従来の技術】
従来の誘導加熱調理器として図１０に示すようなものがあった。図１０において、１は本体、２は本体上部に設けた鍋を載せて調理を行うトッププレート、３は本体上部後方に設けた立体形状のバックグリル、４はバックグリルの前面側に設けた通気口で、てんぷら調理時の油煙を吸い込むための下引排気装置５の吸気口と本体冷却用の排気口とを兼ねている。また、バックグリル３の後面側に吸気口が設けられている。この構成で、てんぷら調理時に下引排気装置５が作動し発生した油煙を吸い込み、器体の下部に設けた下引排気装置５の排気口６より排出することにより、吸気口よりてんぷら調理時の油煙を吸い込み難くくしたというものであった（例えば、特許文献１参照）。
【０００３】
【特許文献１】
特公平７−１２３０７１号公報
【０００４】
【発明が解決しようとする課題】
しかしながら、前記従来の構成では、下引排気装置５の作動により調理時の油煙の吸い込みを低減しているが、システムキッチンに組み込んだロースタ機能を有する誘導加熱調理器において、背面壁に露や、汚れが付着すると共に、ロースタの排煙に対する換気扇への吸引も非効率であるという課題を有していた。
【０００５】
本発明は、前記従来の課題を解決するもので、ロースタ排気口から、トッププレート上の調理加熱部の方向で上方向に排気を排出することで、背面壁への露つきや汚れを低減し、換気扇が排気を効率よく吸引することを目的とする。
【０００６】
【課題を解決するための手段】
前記従来の課題を解決するために、本発明の誘導加熱調理器は、トッププレート下方にロースタを配し、トッププレート後方でかつ、ロースタ後方に設けた排気煙突の上部にロースタ排気口を配し、ロースタからの排気をトッププレート上の調理加熱部の方向で上方向にロースタ排気口から排出する構成とした。
【０００７】
これによって、背面壁への露つきや汚れを低減し、排気を換気扇へ効率よく吸引することができる。
【０００８】
【発明の実施の形態】
請求項１に記載の発明は、本体と、前記本体の上部に設けたトッププレートと、前記トッププレートの下方に設けた被調理物を加熱調理する加熱手段および被調理物を焼成するロースタと、前記トッププレート後方で、かつ、前記ロースタ後方に配した排気煙突の上部に設けたロースタ排気口とを備え、前記ロースタ排気口からの排気を前記トッププレート上の前記加熱手段に対応する位置に設けた調理加熱部の方向で上方向に排出する構成とした。この構成によって、背面壁への露つきや汚れを低減し、換気扇が排気を効率よく吸引することができる。
【０００９】
請求項２に記載の発明は、特に、請求項１に記載の構成において、トッププレート後方の一方に吸気口を、他方に排気口を備え、前記吸気口の前記トッププレート上の調理加熱部がある側とは反対側から取入れた外気を、前記トッププレート上の前記調理加熱部の方向で上方向に前記排気口より排出する構成とした。この構成により、外気はトッププレート上の調理加熱部とは反対側から流入し、トッププレート上の調理加熱部の方向で上方向に排出されるため、吸気は加熱された鍋などの熱気を吸い込むことなく、冷たい外気を吸い込み、機器内のインバータ回路部などを効率よく冷却することができ、機器の信頼性を向上することができる。
【００１０】
また、排気が被加熱調理器具である鍋などを載置して加熱するトッププレート上の調理加熱部上方向きに排出されることで、排気がシステムキッチンの背面壁をつたわることを抑え、背面壁の温度がロースタの排気熱で上昇することを低減することができる。また、背面壁につく露や、よごれを低減することもでき、さらに、上部に配されている換気扇に対して、効率よく排気を吸引させることができる。
【００１１】
請求項３に記載の発明は、特に、請求項２記載の構成において、トッププレート後方に吸気口と排気口およびロースタ排気口とを設け、前記排気口と前記ロースタ排気口とを前記トッププレート上の調理加熱部の方向で上方向に開口し、吸気口を前記トッププレート上の前記調理加熱部と反対側に開口する構成とした。この構成により、より吸気および排気の風向きを方向付けることができるため、ロースタの排気が、トッププレート上の調理加熱部の方向で上方向に強制排気されることで、排気がシステムキッチンの背面壁をつたわることを抑え、背面壁の温度がロースタの排気熱で上昇することを低減することができる。
【００１２】
請求項４に記載の発明は、特に、請求項１〜３のいずれか１項に記載の構成において、吸気口と排気口およびロースタ排気口の向きを、着脱自在なバックグリルで構成したことにより、取り外して清掃することができ、また、複雑な風向きをバックグリルで構成でき、風向きの調整が容易となる。
【００１３】
請求項５に記載の発明は、特に、請求項４記載のバックグリルにフィルターを設ける構成にしたことにより、吸気口では揚げ物調理時などに吸い込む油などを除去し、機器内の回路部品に油が付着し、ほこりや水分により、回路部品がショートするのを防止できる。また、排気口およびロースタ排気口では、調理物の機器内への進入および落下を防ぎ、危機の信頼性を向上することができる。
【００１４】
請求項６に記載の発明は、特に、請求項１または２記載の構成において、吸気口と排気口およびロースタ排気口に、内部部品の温度上昇を検知して、開閉量を可変する風向板を設ける構成とした。これにより、酸化触媒の温度を触媒温度検知手段により、検知し、触媒の温度が常に高温であるように、ロースタ排気口に配した風向板で、開閉量を可変して、風の量を調節することにより、ロースタ庫内で発生する煙を酸化触媒で、効率よく除去することができる。
【００１５】
また、インバータ回路部の発熱部の温度を温度検知手段により検知し、発熱部の温度が低ければ、風向板の開閉量を、小とすることにより、騒音を低減することができる。インバータ回路部の発熱が少ない長時間の煮込み料理時に、騒音を抑えることで、会話やテレビの音声などを聞きやすくすることができ、楽しい空間を実現できる。
【００１６】
請求項７に記載の発明は、特に、請求項１または２記載の構成において、吸気口と排気口およびロースタ排気口に開閉量自在の風向板を設け、被調理物の加熱の強弱に応じて、開閉量を可変する構成とした。これにより、制御手段により、操作キーの強弱を検知し、触媒の温度が常に高温であるように、ロースタ排気口に配した風向板で、開閉量を可変して、風の量を調節することにより、ロースタ庫内で発生する煙を酸化触媒で、効率よく除去することができる。
【００１７】
また、制御手段により、操作キーの強弱を検知し、操作キーが強から弱にいくほど、風向板の開閉量を小とすることにより、騒音を低減することができる。インバータ回路部の発熱が少ない「弱」での長時間の煮込み料理時に、騒音を抑えることで、会話やテレビの音声などを聞きやすくすることができ、楽しい空間を実現できる。
【００１８】
【実施例】
以下本発明の実施例について、図面を参照しながら説明する。
【００１９】
（実施例１）
図１は本発明の実施例１における誘導加熱調理器の分解斜視図、図２（ａ）は図１のａ１−ａ１線断面図、図２（ｂ）は図１のｂ１−ｂ１線またはｃ１−ｃ１線断面図、図３は同誘導加熱調理器の要部断面図である。
【００２０】
本実施例は誘導加熱調理器をシステムキッチンのキャビネットに組み込んで使用した場合を示したものである。１１は被加熱調理器具である鍋などを載置し、加熱するトッププレートであり、そのトッププレート１１の下には、左右手前に２口の誘導加熱コイル１２と中央奥に１口のラジェントヒータ１３とが加熱手段として設けられている。
【００２１】
また、使用者が誘導加熱装置と対向する前面には、その右側に操作部１４、左側にロースタ１５が設けられ、ロースタ１５の庫内には魚などの被調理物を加熱するロースタヒータ１６が設けられている。ロースタ１５庫内で調理時に発生した煙はファンモータ１９により排気煙突１７内に設けた酸化触媒１８により浄化されて排気煙突１７より外部に強制的に排出される。
【００２２】
また、本体２０内のロースタ１５の右側には、誘導加熱コイル１２を駆動制御するインバータ回路部２１が樹脂製の基板ベース２２に固定され、さらに、基板ベース２２は本体２０に固定されている。インバータ回路部２１の奥には、ファンケース２３を設け、ファンケース内に遠心ファン２４と遠心ファンを駆動するモータ２５を配している。
【００２３】
トッププレート１１の右後方には吸気口２６、左後方に排気口２７、ロースタの排気煙突１７上部にロースタ排気口２８を配したトッププレート１１を保持するフレーム２９を設けている。
【００２４】
ここで、吸気口２６には被加熱調理器具である鍋などを載置して加熱するトッププレート１１上の調理加熱部４２とは反対側から、すなわち、誘導加熱調理器の外側から外気が流入するように設けた吸気口リブ３０を配し、排気口２７およびロースタ排気口２８にはトッププレート１１上の調理加熱部４２の上方向、すなわち、トッププレート１１の方向で斜め上方向に排気を排出するようにそれぞれに設けた排気口リブ３１およびロースタ排気口リブ３２を配している。なお、調理加熱部４２はトッププレート上の誘導加熱コイル１２およびラジエントヒータ１３に対向する位置に印刷または光などによりなどにより表示されているのが一般的である。
【００２５】
次に、風の流れについて説明する。
【００２６】
まず、外気はトッププレート１１の右後方に設けられた吸気口２６より取入れられる。このとき、吸気口２６内の吸気口リブ３０により、外気がトッププレート１１上の調理加熱部４２とは反対側から取入れられるように調整されている。取入れられた外気はファンケース２３の通気経路を通り、ファンモータ２５で駆動される遠心ファン２４に吸い込まれた後、風の向きを本体外郭の中心側に向けて吐出される。吐出された風の一部はインバータ回路部２１に向けて吹き付けられ、インバータ回路を冷却し、他の一部は左の誘導加熱コイルおよび左にあるロースタの外郭を冷却し、その後トッププレート１１の左後方に設けられたフレーム２９の排気気口２７より排気口リブ３１で風向を調整されて、トッププレート１１上の調理加熱部４２の方向に、かつ上向に排出される。
【００２７】
また、ロースタ１５の排気構成はファンモータ１９により、ロースタ１５庫内の調理時に発生する煙を、酸化触媒を通して、ロースタ１５の排気煙突１７上部に設けたフレーム２９のロースタ排気口２８よりロースタ排気口リブ３２で風向を調節されて、トッププレート１１上の調理加熱部４２の方向で上方向に強制排気される。
【００２８】
前記した実施例によれば次のような効果を得ることができる。
【００２９】
ロースタ１５の排気が、トッププレート１１上の調理加熱部４２の方向に、かつ上向きに強制排気されることで、排気がシステムキッチンの背面壁を伝わることを抑え、背面壁の温度がロースタ１５の排気熱で上昇するのを低減するとともに、背面壁につく露や、よごれを低減することもできる。また、上部に配されている換気扇に対して、効率よく排気を吸引させることができる。
【００３０】
また、機器内を冷却するための、吸排気風は、外気がトッププレート１１上の調理加熱部４２とは反対側から流入し、トッププレート１１上の調理加熱部４２の上方向きに排出されるため、吸気は加熱された鍋などの熱気を吸い込むことなく、冷たい外気を吸い込み、機器内のインバータ回路部２１などを効率よく冷却することができ、機器の信頼性を向上することができる。
【００３１】
また、排気がトッププレート１１上の調理加熱部４２の方向で、かつ上向きに排出されることで、排気がシステムキッチンの背面壁をつたわることを抑え、背面壁の温度がロースタの排気熱で上昇するのを低減するとともに、背面壁につく露や、よごれを低減することもできる。また、上部に配されている換気扇に対して、効率よく排気を吸引させることができる。
【００３２】
（実施例２）
図４（ａ）は本発明の実施例２における誘導加熱調理器の要部斜視図、図４（ｂ）は図４（ａ）のａ２―ａ２線断面図、図４（ｃ）は図４（ａ）のｂ２―ｂ２線またはｃ２―ｃ２線断面図である。なお、本実施例の基本構成は実施例１と同じなので異なる点を中心に説明する。また、実施例１と同じ機能には同じ符号を付しその説明は省略する。
【００３３】
本実施例が実施例１の構成と異なる点は、フレーム２９により、吸気口２６をトッププレート１１上の調理加熱部４２とは反対側から外気が流入するように吸気口ダクト３３を設けると共に、排気が排気口２７およびロースタ排気口２８をトッププレート１１上の調理加熱部４２の方向で斜め上方向に排出するようにそれぞれに排気口ダクト３４およびロースタ排気口ダクト３５を設けた点である。
【００３４】
ここで、風の流れについて説明する。
【００３５】
まず、トッププレート１１の右後方に設けられたフレーム２９の吸気口ダクト３３により、外気が取入れられ、実施例１と同様の経路を経てトッププレート１１の左後方に設けられたフレーム２９の排気口ダクト３４により風向を調整されてトッププレート１１上の調理加熱部４２の方向で斜め上方向に排出される。
【００３６】
また、ロースタ１５の排気も実施例１と同様の経路を経てロースタ排気口ダクト３５により風向を調整されて、トッププレート１１上の調理加熱部４２の方向で上方向に強制排気される。
【００３７】
以上述べたように本実施例によれば、吸気口および排気口をダクト形状としたことで、より吸気および排気の風向きを方向付けることができるため、実施例１と同等またはそれ以上の効果を得ることができる。
【００３８】
（実施例３）
図５は本発明の実施例３における誘導加熱調理器の要部斜視図である。なお、本実施例の基本構成は実施例２と同じなので異なる点を中心に説明する。また、実施例２と同じ機能には同じ符号を付しその説明は省略する。
【００３９】
本実施例が実施例２の構成と異なるところは、フレーム２９に開口した開口孔に着脱自在に覆設するバックグリル３６を設けた点である。バックグリル３６の設け方としては、吸気口２６をトッププレート１１上の調理加熱部４２とは反対側から風が流入するように設け、排気口２７およびロースタ排気口２８をトッププレート１１上の調理加熱部４２の方向で斜め上方向に排気を排出するようにそれぞれに設ける。これにより、実施例２の場合と同様な風路を形成することができ、実施例２と同様の効果を得ることができる。
【００４０】
（実施例４）
図６は本発明の実施例４における誘導加熱調理器のフィルタの要部断面図である。なお、本実施例の基本構成は実施例３と同じなので異なる点を中心に説明する。また、実施例３と同じ機能には同じ符号を付しその説明は省略する。
【００４１】
本実施例が実施例３の構成と異なる点は、バックグリル３６にフィルタ３７を設けた点である。そして、吸気口から排気口に至る風路は実施例１〜３のいずれの場合とも同様である。
【００４２】
本実施例のフィルタ３７の構成として、吸気口２６のフィルタの目は排気口２７およびロースタ排気口２８に用いるフィルタの目より細かくする。特に、吸気口２６には不織布によるペーパフィルタを用いる。排気口２７およびロースタ排気口２８には、金網で構成した格子形状のフィルタ３７を用いる。
【００４３】
そして、前記フィルタ３７を用いたことにより、前記実施例の効果に加え次のような効果を得ることができる。すなわち、吸気口２６に不織布によるペーパフィルタを用いることで、揚げ物調理時などに吸い込む油などを除去し、機器内の回路部品に油が付着し、ほこりや水分により、回路部品がショートするのを防止できる。また、排気口２７およびロースタ排気口２８には、金網で構成した格子形状のフィルタ３７を用いることで、調理物の機器内への進入および落下を防ぎ、危機の信頼性を向上することができる。また、吸気口２６、排気口２７、およびロースタ排気口２８をフレーム２９とは別体のバックグリル３６で構成することで、取り外して清掃することができ、また、複雑な風向きをバックグリル３６で構成でき、風向きの調整が容易となる。
【００４４】
なお、本実施例では、吸気口には不織布によるペーパフィルタを、排気口およびロースタ排気口には金網で構成した格子形状のフィルタを用いた場合について説明したが、これに限定されるものではなく本実施例の主旨にかなうフィルタであればどのような構成のフィルタでもよい。
【００４５】
（実施例５）
図７は本発明の実施例５における誘導加熱調理器の要部断面図、図８は同誘導加熱調理器の分解斜視図である。なお、本実施例の基本構成は実施例１と同じなので異なる点を中心に説明する。また、実施例１と同じ機能には同じ符号を付しその説明は省略する。
【００４６】
本実施例が実施例１の構成と異なる点は、吸気口２６および排気口２７、ロースタ排気口２８に開閉量可変可能な風向板３８を設けた点、および、酸化触媒の温度を検知する触媒温度検知手段３９とインバータ回路部の発熱部の温度を検知する温度検知手段４０とを設けた点である。
【００４７】
まず、風向板の動作について説明する。
【００４８】
ロースタ１５の排気構成は、ファンモータ１９により、ロースタ１５の庫内の調理時に発生する煙を、酸化触媒を通して、ロースタ１５の排気煙突１７上部に設けたロースタ排気口２８に配した風向板３８により、トッププレート１１上の調理加熱部４２の方向で斜め上方向に強制排気する構成である。
【００４９】
ここで、ロースタ１５の庫内で発生する煙を酸化触媒で、効率よく除去するためには、酸化触媒の温度を高温にする必要があるが、強制排気により、触媒の温度にかかわらず、一定の風が触媒を通過し、酸化触媒の温度を低下させてしまい、酸化触媒の効果を低減してしまう。そこで、酸化触媒の温度を触媒温度検知手段３９により検知し、触媒の温度が常に高温であるようにロースタ排気口２８に配した風向板３８で、開閉量を可変して風の量を調節する。
【００５０】
また、外気はトッププレート１１の右後方に設けられた吸気口２６より取入れられる。このとき、吸気口２６内の風向板３８により外気がトッププレート１１上の調理加熱部４２とは反対側から取入れられるように調整されている。取入れられた外気はファンケース２３の通気経路を通り、ファンモータ２５で駆動される遠心ファン２４に吸い込まれた後、風の向きを本体の中心側に向けて吐出される。吐出された風の一部はインバータ回路部２１に向けて吹き付けられ、インバータ回路部２１を冷却し、他の一部は左の誘導加熱コイル１２および左にあるロースタ１５の外郭を冷却し、その後トッププレート１１の左後方に設けられた排気口２７に配した風向板３８により風向を調整されて、トッププレート１１上の調理加熱部４２の方向で上方向に排出される。
【００５１】
ここで、特に、インバータ回路部２１の冷却は、機器の信頼性をきめる重要な箇所である。インバータ回路部２１の発熱部の温度を温度検知手段４０により検知し、発熱部の温度が低ければ風向板３８の開閉量を小とする。
【００５２】
本実施例によれば実施例１の効果に加え次のような効果を得ることができる。
【００５３】
酸化触媒の温度を触媒温度検知手段３９により温度を検知し、触媒の温度が常に高温を保持するように、ロースタ排気口２８に配した風向板３８で開閉量を可変して風の量を調節することにより、ロースタ１５庫内で発生する煙を酸化触媒で効率よく除去することができる。
【００５４】
また、インバータ回路部２１の発熱部の温度を温度検知手段４０により検知し、発熱部の温度が低ければ、風向板３８の開閉量を、小とすることにより、騒音を低減することができる。インバータ回路部２１の発熱が少ない長時間の煮込み料理時には騒音を抑えることで、会話やテレビの音声などを聞きやすくすることができ、楽しい空間を実現できる。
【００５５】
（実施例６）
図９は本発明の実施例６における誘導加熱調理器の分解斜視図である。
【００５６】
実施例１の構成と異なる点は、吸気口２６および排気口２７、ロースタ排気口２８に開閉量可変可能な風向板３８を設け、操作キーの強弱、すなわち、被調理物の加熱の強弱に応じて風向板の開閉量を可変する制御手段４１を設けた点である。
【００５７】
まず、風向板の動作について説明する。
【００５８】
ロースタ１５の排気構成は、ファンモータ１９により、ロースタ１５庫内の調理時に発生する煙を、酸化触媒を通して、ロースタ１５の排気煙突１７上部に設けたロースタ排気口２８に配した風向板３８により、排気をトッププレート１１上の調理加熱部４２の方向で上方向に強制排気する構成である。
【００５９】
ここで、ロースタ１５庫内で発生する煙を酸化触媒で、効率よく除去するためには、酸化触媒の温度を高温にする必要があるが、強制排気により、触媒の温度にかかわらず、一定の風が触媒を通過し、酸化触媒の温度をさげてしまい、酸化触媒の効果をおとしてしまう。ここで、制御手段４１により操作キーの強弱を検知し、触媒の温度が常に高温であるように、ロースタ排気口２８に配した風向板３８で開閉量を可変して、風の量を調節する。
【００６０】
また、トッププレート１１の右後方に設けられた吸気口２６より風向板３８で風向を調整されて取入れられた外気は、実施例１と同様な風路を経てトッププレート１１の左後方に設けられた排気口２７より風向板３８でトッププレート上の調理加熱部４２の方向で上方向に調整されて排出される。
【００６１】
ここで、とくにインバータ回路部２１の冷却は、機器の信頼性をきめる重要な箇所である。制御手段４１により、操作キーの強弱を検知し、操作キーの強から弱、すなわち加熱出力が強から弱にいくほど、風向板３８の開閉量を小とする。
【００６２】
本実施例によれば実施例１の効果に加え次のような効果を得ることができる。
【００６３】
制御手段４１により、操作キーの強弱を検知し、触媒の温度が常に高温であるように、ロースタ排気口２８に配した風向板３８で、開閉量を可変して、風の量を調節することにより、ロースタ１５庫内で発生する煙を酸化触媒で、効率よく除去することができる。
【００６４】
また、制御手段４１により、操作キーの強弱を検知し、操作キーが強から弱にいくほど、風向板３８の開閉量を小とすることにより、騒音を低減することができる。インバータ回路部２１の発熱が少ない「弱」での長時間の煮込み料理時に、騒音を抑えることで、会話やテレビの音声などを聞きやすくすることができ、楽しい空間を実現できる。
【００６５】
なお、実施例１ないし６は誘導加熱調理器をシステムキッチンに組み込んで用いた場合について述べたが、これに限定されるものではなく、据え置きタイプの誘導加熱調理器に用いても良い。
【００６６】
また、吸気口と排気口およびロースタ排気口との位置関係を、使用者が誘導加熱調理器対向する位置を正面とし、正面から見て右、左と言うように記載したが誘導加熱調理器の構成によっては右と左が入れ替わっても良いのは勿論である。
【００６７】
【発明の効果】
以上のように、請求項１〜７に記載の発明によれば、ロースタ排気口から、トッププレート上の調理加熱部の方向で上方向に排気を排出することで、背面壁への露つきや汚れを低減し、排気を換気扇へ効率よく吸引することができる。
【図面の簡単な説明】
【図１】本発明の実施例１における誘導加熱調理器の分解斜視図
【図２】（ａ）図１のａ１−ａ１線断面図
（ｂ）図１のｂ１−ｂ１線またはｃ１−ｃ１線断面図
【図３】同誘導加熱調理器の要部断面図
【図４】（ａ）本発明の実施例２における誘導加熱調理器の要部斜視図
（ｂ）図４（ａ）のａ２―ａ２線断面図
（ｃ）図４（ａ）のｂ２―ｂ２線またはｃ２―ｃ２線断面図
【図５】本発明の実施例３における誘導加熱調理器の要部斜視図
【図６】本発明の実施例４における誘導加熱調理器のフィルタの要部断面図
【図７】本発明の実施例５における誘導加熱調理器の要部断面図
【図８】本発明の実施例５における誘導加熱調理器の要部分解斜視図
【図９】本発明の実施例６における誘導加熱調理器の分解斜視図
【図１０】従来の誘導加熱調理器の外観斜視図
【符号の説明】
１１  トッププレート
１２  誘導加熱コイル
１３  ラジェントヒータ
１５  ロースタ
１７  排気煙突
２０  本体
２６  吸気口
２７  排気口
２８  ロースタ排気口
３６  バックグリル
３７  フィルタ
３８  風向板
４２  調理加熱部
【図１】
2004235124.tif 000003
【図２】
2004235124.tif 000004
【図３】
2004235124.tif 000005
【図４】
2004235124.tif 000006
【図５】
2004235124.tif 000007
【図６】
2004235124.tif 000008
【図７】
2004235124.tif 000009
【図８】
2004235124.tif 000010
【図９】
2004235124.tif 000011
【図１０】
2004235124.tif 000012